(57)【要約】      （修正有）【課題】介護者の監視負担を軽減し、安全で安価で構造が簡単で破損し難い被介護者離床警告用電気開閉装置を提供する。【解決手段】上部内面に格子状の上電極を貼着した上基板と、下部内面に上電極と互い違いに形成した格子状の下電極を貼着し、且つ、縦・横寸法を上基板より若干大きめに形成した下基板と、上下電極間の外周部に挟着し、且つ、外周部に傾斜を設けた接触防止用弾性部材と、重合した上下基板の上下及び外周側面部全体を被覆した滑り止め兼防水用被覆部材と、先端側に差込器具を有し、且つ、末端側の一方を上電極に接合し、他方を下電極に接合した連結器付配線ケーブルから成るものである。【選択図】図１
0003156679.tif 000002
【実用新案登録請求の範囲】
【請求項１】
被介護者（ＰＡ）がベッドから離床する異常動作を迅速、且つ、正確に検知して介護者控え室に警報警告する為の電気開閉用装置（Ｓ）であって、装置（Ｓ）は上部内面に格子状の上電極（１ａ）をホットボンド等の強力接着材（ＢＯ）で貼着敷設し、且つ、縦・横寸法形状を下基板より若干小さめに形成して設けた上基板（１）と、下部内面に上電極（１ａ）と互い違いに形成した格子状の下電極（２ａ）をホットボンド等の強力接着材（ＢＯ）で貼着敷設し、且つ、縦・横寸法形状を上基板より若干大きめに形成して設けた下基板（２）と、上電極（１ａ）と下電極（２ａ）間の外周部に挟着し、且つ、外周部に所定角度（α）の傾斜をそれぞれ設けたクッションマット等の接触防止用弾性部材（３）と、重合した上基板と下基板の上下及び外周側面部全体を被覆して設けた滑り止め兼防水用被覆部材（４）と、先端側に差込器具（５ａ）を有し、且つ、末端側の一方を上電極（１ａ）に接合し、他方を下電極（２ａ）にそれぞれ接合して設けた連結器（５ｂ）付配線ケーブル（５）から成り、且つ、使用する時は、ベッドの昇降側の床面に設置し、介護者控え室に設置した既設の警報器と配線ケーブル（５）の差込器具（５ａ）を接続する事を特徴とする被介護者離床警告用電気開閉装置。
【請求項２】
既設の呼出警報釦（ＣＳ）と併用する時は、分配器（ＤＳ）を経由して接続する事を特徴とする請求項１記載の被介護者離床警告用電気開閉装置。
【考案の詳細な説明】
【技術分野】
【０００１】
この考案は、被介護者がベッドから離床する異常動作を迅速、且つ、正確に検知して介護者控え室に警報警告する被介護者離床警告用電気開閉装置に関するものである。
【背景技術】
【０００２】
従来、病院や介護施設に入っている患者や被介護者は、ベッドで寝起きしている。その為、緊急時や介護者の介護が必要な場合、ベッドの枕元に設置してある呼出釦を押して知らせる事に成っている。しかし、この呼出釦を押さずに黙ってベッドから降りようとして転落や転倒したりする事が多い。又、上手にベッドから降りて離床して一人で動き回っても介護士やスタッフの方は、異常を検知できず、取り返しのつかない事になり兼ねない。
【０００３】
従って、この様な事故や怪我を未然に防ぐ為の、介護用ベッドの離床検知装置が出願されているので、紹介する（特許文献１〜２参照）。
【先行技術文献】
【特許文献】
【０００４】
【特許文献１】特許公開２００３−２６５５４６
【特許文献２】特許公開２００４−１０５４１６
【考案の概要】
【考案が解決しようとする課題】
【０００５】
そこで、上記課題を解決する為に、この考案は被介護者が介護用ベッドから離床する動作を迅速、且つ、正確に検知して、介護者に警告する事で、介護者の監視負担を軽減する事が可能で、安全で安価で構造が簡単で破損し難い被介護者離床警告用電気開閉装置を開発・提供する事にある。
【課題を解決するための手段】
【０００６】
課題を解決するための手段として、上部内面に格子状の上電極をホットボンド等の強力接着材で貼着敷設し、且つ、縦・横寸法形状を下基板より若干小さめに形成して設けた上基板と、下部内面に上電極と互い違いに形成した格子状の下電極をホットボンド等の強力接着材で貼着敷設し、且つ、縦・横寸法形状を上基板より若干大きめに形成して設けた下基板と、上電極と下電極間の外周部に挟着し、且つ、外周部に所定角度の傾斜をそれぞれ設けたクッションマット等の接触防止用弾性部材と、重合した上基板と下基板の上下及び外周側面部全体を被覆して設けた滑り止め兼防水用被覆部材と、先端側に差込器具を有し、且つ、末端側の一方を上電極に接合し、他方を下電極にそれぞれ接合して設けた連結器付配線ケーブルから成り、且つ、使用する時は、ベッドの昇降側の床面に設置し、介護者控え室に設置した既設の警報器と配線ケーブルの差込器具を接続する事を特徴とするものである。
【０００７】
又、既設の呼出警報釦と併用する時は、分配器を経由して接続する事を特徴とするものである。
【考案の効果】
【０００８】
この考案の効果として、上部の下面内側に格子状の上電極をホットボンド等の接着材で貼着敷設し、且つ、縦・横寸法形状を下基板より若干小さめに形成して設けた上基板と、下部の上面内側に上部電極と互い違いに形成した格子状の下電極をホットボンド等の接着材で貼着敷設し、且つ、縦・横寸法形状を上基板より若干大きめに形成して設けた下基板と、上電極と下電極間の外周部に挟着し、且つ、外周部に所定角度の傾斜をそれぞれ設けたクッションマット等の接触防止用弾性部材と、重合した上基板と下基板の上下及び外周側面部全体を被覆して設けた滑り止め兼防水用被覆部材と、先端側に差込器具を有し、且つ、末端側の一方を上電極に接合し、他方を下電極にそれぞれ接合して設けた連結器付配線ケーブルから成り、且つ、使用する時は、ベッドの昇降側の床面に設置し、介護者控え室に設置した既設の警報器と配線ケーブルの差込器具を接続して使用する事で、介護者の監視負担を軽減する事が可能で、安全で安価で、構造が簡単で扱い易く、破損し難く、防水性に優れる等、極めて有益なる効果を奏するものである。
【図面の簡単な説明】
【０００９】
【図１】この考案の一実施例を示し、（Ａ）は断面図で、（Ｂ）は上部基板側と下部基板側を分割し展開した内部詳細図である。
【図２】この考案の一実施例を示し、（Ａ）はスィッチＯＦＦ時の断面図で、（Ｂ）はスィッチＯＮ時の断面図である。
【図３】この考案の使用例を示し、ベッドの横に設置時の斜視図である。
【考案を実施するための形態】
【００１０】
この考案を実施するための形態として、被介護者（ＰＡ）がベッドから離床する異常動作を迅速、且つ、正確に検知して介護者控え室に警報警告する為の電気開閉用装置（Ｓ）であって、装置（Ｓ）は上部内面に格子状の上電極（１ａ）をホットボンド等の強力接着材（ＢＯ）で貼着敷設し、且つ、縦・横寸法形状を下基板より若干小さめに形成して設けた上基板（１）と、下部内面に上電極（１ａ）と互い違いに形成した格子状の下電極（２ａ）をホットボンド等の強力接着材（ＢＯ）で貼着敷設し、且つ、縦・横寸法形状を上基板より若干大きめに形成して設けた下基板（２）と、上電極（１ａ）と下電極（２ａ）間の外周部に挟着し、且つ、外周部に所定角度（α）の傾斜をそれぞれ設けたクッションマット等の接触防止用弾性部材（３）と、重合した上基板と下基板の上下及び外周側面部全体を被覆して設けた滑り止め兼防水用被覆部材（４）と、先端側に差込器具（５ａ）を有し、且つ、末端側の一方を上電極（１ａ）に接合し、他方を下電極（２ａ）にそれぞれ接合して設けた連結器（５ｂ）付配線ケーブル（５）から成り、且つ、使用する時は、ベッドの昇降側の床面に設置し、介護者控え室に設置した既設の警報器と配線ケーブル（５）の差込器具（５ａ）を接続する事を特徴とする被介護者離床警告用電気開閉装置から構成される。
【００１１】
又、既設の呼出警報釦（ＣＳ）と併用する時は、分配器（ＤＳ）を経由して接続する事を特徴とする被介護者離床警告用電気開閉装置から構成される。
【実施例１】
【００１２】
そこで、この考案の一実施例を図１〜図２に基づいて詳述すると、まず被介護者離床警告用電気開閉装置（足踏式スィッチ）の寸法形状は上基板側が縦約５７０ｍｍ×横約４２０ｍｍで、下基板側が縦約６００ｍｍ×横約４５０ｍｍに形成され、且つ、上下それぞれの基板には厚さ０．１ｍｍ×幅１５ｍｍ以上の銅板製の格子状電極板（１ａ）（２ａ）がそれぞれ互い違いに配置されホットボンド等の強力接着材（ＢＯ）でそれぞれ貼着敷設されている。又、前記格子状の電極板（１ａ）（１ａ），（２ａ）（２ａ）の交差接合部及び配線ケーブル（５），（５）と電極板（１ａ），（２ａ）の接合部は図１（Ｂ）に示すように、全てハンダ付（１ａ'）（２ａ'）でそれぞれ溶着接合されている。
【００１３】
又、前記の重合した上電極（１ａ）と下電極（２ａ）間には、クッションマット等の接触防止用弾性部材（３）を挟着し、且つ、外周部に所定角度（α）の傾斜を設けて被介護者（ＰＡ）がつまずいて転倒しない様、配慮されている。そして、この時の上基板と下基板間の厚さは約１０ｍｍに形成され、且つ、上下及び外周側面部全体には防水シート等の滑り止め兼防水用被覆部材（４）を被覆して設けている。
【００１４】
又、配線ケーブル（５）には、先端側に差込器具（５ａ）が設けられ、末端側には連結器（５ｂ）が設けられ、使用する時は先端側の差込器具（５ａ）をナースステーションのナースコールに接続された接続部（ＪＯ）に接続して使用する。又、既設の呼出警報釦（ＣＳ）と併用する時は、図３に示すように分配器（ＤＳ）を経由して接続する。
【００１５】
又、図２は被介護者離床警告用電気開閉装置の断面図を示し、（Ａ）はスィッチＯＦＦ時で、（Ｂ）はスィッチＯＮ時（通電時）を示したものである。
【００１６】
図３は本考案の被介護者離床警告用電気開閉装置と既設の呼出警報釦（ＣＳ）と併用する場合の設置要領を示す斜視図である。
【００１７】
尚、上記実施例１の寸法形状については一例であって、これに限定することなく、使用する環境や用途に応じて変更しても構わない。
【産業上の利用可能性】
【００１８】
この考案の被介護者離床警告用電気開閉装置は、被介護者が介護用ベッドから離床する動作を速やかに検知して、介護者に警告する事で、介護者の監視負担を軽減する事が可能で、安全で安価で構造が簡単で破損し難い事で、多くの介護施設関係者に寄与する為、産業上の利用可能性を有する。
【符号の説明】
【００１９】
１  上基板
１ａ  上電極
１ａ'  ハンダ付
２  下基板
２ａ  下電極
２ａ'  ハンダ付
３  接触防止用弾性部材
４  滑り止め兼防水用被覆部材
５  配線ケーブル
５ａ  差込器具
５ｂ  連結器
ＢＯ  ホットボンド等の接着材
ＣＳ  呼出警報釦
ＤＳ  分配器
ＪＯ  接続部
ＰＡ  被介護者
Ｓ  被介護者離床警告用電気開閉装置
α  所定角度
【図１】
0003156679.tif 000003
【図２】
0003156679.tif 000004
【図３】
0003156679.tif 000005